(57)【要約】【課題】  シンク外への水等の飛散を確実防止することができる上に、利便性を損なうことがない水はね防止装置を提供する。【解決手段】  凹状の槽体の上端部からガイド板３を突出させて槽体外への水等の飛散を防止する水はね防止装置１であって、ガイド板３が、槽体の内周壁に沿った環状に形成されていると共に槽体の内周壁に沿ってその高さ方向に移動可能に設けられ、このガイド板３と槽体との間に、ガイド板を所定の位置に固定するロック手段４を設けたことにより、前記課題を解決した。ロック手段４は、ガイド板３の外周壁３ａに設けられたラチェット歯部４１と、このラチェット歯部４１と係合し、槽体の内周壁に設けられたロック片とからなるラチェット機構、また、ガイド板に設けられ、対向する壁面に接触する係合片を有するフリクション手段であることが好ましい。【選択図】        図３
2007111195.tif 000002
【特許請求の範囲】
【請求項１】
凹状の槽体の上端部からガイド板を突出させて槽体外への水等の飛散を防止する水はね防止装置であって、
前記ガイド板が、前記槽体の内周壁に沿った環状に形成されていると共に前記槽体の内周壁に沿ってその高さ方向に移動可能に設けられ、このガイド板と前記槽体との間に、前記ガイド板を所定の位置に固定するロック手段を設けたことを特徴とする、水はね防止装置。
【請求項２】
前記ロック手段が、前記槽体の内周壁及び前記ガイド板の外周壁のいずれか一方に設けられたラチェット歯部と、このラチェット歯部と係合し、前記槽体の内周壁及び前記ガイド板の外周壁のいずれか他方に設けられたロック片とからなるラチェット機構であることを特徴とする、請求項１に記載の水はね防止装置。
【請求項３】
前記ロック手段が、前記槽体及び前記ガイド板の少なくとも一方に設けられ、対向する壁面に接触する係合片を有するフリクション手段であることを特徴とする、請求項１に記載の水はね防止装置。
【請求項４】
前記ガイド板の上端部が、外側に折り曲げられて前記槽体の上端部に着座するフランジ部として形成されていることを特徴とする、請求項１〜３のいずれか１項に記載の水はね防止装置。
【請求項５】
前記請求項１〜４のいずれか１項に記載の水はね防止装置を備えたことを特徴とする、流し台。
【請求項６】
前記請求項１〜４のいずれか１項に記載の水はね防止装置を備えたことを特徴とする、洗い台。
【請求項７】
前記請求項１〜４のいずれか１項に記載の水はね防止装置を備えたことを特徴とする、浴槽。
【発明の詳細な説明】
【技術分野】
【０００１】
本発明は、シンク等の槽体内で食器や食品等を洗うときに水等が槽体から飛散するのを防止する水はね防止装置、流し台、洗い台及び浴槽に関するものである。
【背景技術】
【０００２】
例えば、流し台は、食器や食品等を洗ったりするものであり、台所や厨房等に設置されている。この流し台では、食器や食品等を洗う場合には、シンク等の槽体内に食器等を入れ、この食器等に水道水を直接かけたりして食器等を洗っているが、食器等に当たった水や洗剤等がシンクの外に飛散して、衣服や床を汚すことがあった。このため、シンクの手前側の内壁にガード板を吸盤にて取り付け、シンクの手前側からシンク外に水が飛散するのを防止することが試みられている（特許文献１参照。）。
【特許文献１】実用新案登録第３１１３８５７号公報
【発明の開示】
【発明が解決しようとする課題】
【０００３】
この特許文献１に記載されている水はね防止装置は、ガード板を流し台に取り付けることにより、シンクの手前側から水がシンク外に飛散することを防止することができるものである。また、ガード板は高さ調節が可能であるので、シンク内の洗い物等の作業に応じてガード板の高さを調節することができる。このように、シンクの手前側の人との間に高さ調節可能なガード板を設ければ、確かに手前側から人に水道水等が飛散して衣服が汚れることはないが、例えば、水道水を食器等に直接かけて水が飛散する場合、水はシンクの手前側だけに飛散することはなく、３６０°すべての方向に飛散する。このため、ガード板が設けられていない箇所からシンク外に水等が飛散して床や流し台等がぬれて汚れてしまうことがあった。また、水を流しながら野菜を洗いつつこの野菜を切る場合には、シンク手の手前側にまな板をおいて野菜を切るが、シンクの手前側にガード板が取りつけられていると、まな板をシンクの手前側に置けず不便で効率が悪く、流し台の利便性を損なうことがある。
【０００４】
本発明は、前記課題を解決するためになされたものであって、その目的は、槽体外への水等の飛散を確実に防止することができる上に利便性を損なうことがない水はね防止装置、流し台、洗い台及び浴槽を提供することにある。
【課題を解決するための手段】
【０００５】
前記の目的を達成するための本発明に係る水はね防止装置は、凹状の槽体の上端部からガイド板を突出させて槽体外への水等の飛散を防止する水はね防止装置であって、前記ガイド板が、前記槽体の内周壁に沿った環状に形成されていると共に前記槽体の内周壁に沿ってその高さ方向に移動可能に設けられ、このガイド板と前記槽体との間に、前記ガイド板を所定の位置に固定するロック手段を設けたことを特徴とする。
【０００６】
この発明によれば、槽体内で食器や食品等を洗う場合には、槽体の上端部から槽体の内周壁に沿った環状のガイド板を突出させることにより、手前側に限らず後方左右の全ての方向で食器等に当たった水や洗剤等が槽体の外に飛散することが防止される。また、ガイド板は環状に形成されると共にロック手段によって所定の位置に固定されるので、ガイド板の上端部に例えばまな板等を載置することができる。その結果、まな板をガイド板上に置いて水を流しなら作業を行えるので、利便性が損なわれることがない。
【０００７】
本発明に係る水はね防止装置において、前記ロック手段が、前記槽体の内周壁及び前記ガイド板の外周壁のいずれか一方に設けられたラチェット歯部と、このラチェット歯部と係合し、前記槽体の内周壁及び前記ガイド板の外周壁のいずれか他方に設けられたロック片とからなるラチェット機構であることが好ましい。また、本発明に係る流し台において、前記ロック手段が、前記槽体及び前記ガイド板の少なくとも一方に設けられ、対向する壁面に接触する係合片を有するフリクション手段であることが好ましい。また、本発明に係る流し台において、前記ガイド板の上端部が、外側に折り曲げられて前記槽体の上端部に着座するフランジ部として形成されていることが好ましい。
【０００８】
また、本発明に係る流し台、洗い台及び浴槽は、前記の本発明に係る水はね防止装置を備えたことを特徴とする。この発明によれば、前述と同様に、ガイド板が槽体の内周壁に沿った環状に形成されていると共にロック手段によって所定の位置に固定されるので、槽体外への水等の飛散を確実に防止することができると共に利便性を損なうことがない。
【発明の効果】
【０００９】
以上説明したように本発明に係る水はね防止装置、流し台、洗い台及び浴槽によれば、ガイド板が槽体の内周壁に沿った環状に形成されていると共にロック手段によって所定の位置に固定されるので、槽体外への水等の飛散を確実に防止することができると共に利便性を損なうことがない。
【発明を実施するための最良の形態】
【００１０】
以下、本発明に係る流し台を添付図面に基づいて詳述する。
【００１１】
図１〜図３は本発明に係る水はね防止装置を備えた流し台を示す図である。図４は本発明に係る水はね防止装置を示す図である。図６は本発明に係る水はね防止装置を備えた浴槽を示す図である。本発明に係る水はね防止装置は、図１〜図４に示すように、凹状の槽体の上端部からガイド板３を突出させて槽体外への水等の飛散を防止するものであって、ガイド板３が、槽体の内周壁に沿った環状に形成されていると共に槽体の内周壁に沿ってその高さ方向に移動可能に設けられ、このガイド板３と槽体との間に、ガイド板３を所定の位置に固定するロック手段４を設けたことに特徴がある。本発明に係る水はね防止装置１は、水例えば水道水を流して洗浄等を行う槽体にガイド板３を設けてなるものである。この本発明に係る水はね防止装置１を設けるものとしては、槽体を備えていれば特に限定されず、家庭用、業務用どちらでもよく、例えば、台所や厨房等に設置されている流し台１０、犬や猫等のペットのシャンプー用の洗い台、高齢者等のシャワー用の浴槽６０等が挙げられる。なお、本発明の実施の形態では本発明に係る水はね防止装置１を主として流し台１０に設けて、食器や野菜などの食品等を洗う場合について説明するが、これに限定されるものではない。
【００１２】
本発明に係る流し台１０は、槽体であるシンク２を備えているものであれば特に限定されず、シンク２以外の構造は周知の構造を適用することができる。すなわち、流し台１０としては、ステンレス鋼の薄板をプレス加工することにより天板１１及びシンク２を一体成形したものや天板１１とシンク２とを薄板を個別にプレス加工したものを一体化したもの、その他、人口大理石、樹脂板等を用いたもの等が挙げられる。
【００１３】
シンク２は、流し台１０の主要部である。シンク２は、例えば、水槽といわれることもあり、このシンク２内に水道水が流れ落ちる。シンク２の種類としては、図１に示すように、１槽式のシングルシンクに限定されず、図２に示すような２槽式のダブルシンクや３槽式のトリプルシンク、かつ、ジャンボシンク等があり、用途に応じて使い分けられている。また、ジャンボシンクは、大きな鍋やフライパンなどを洗うのに適している。
【００１４】
シンク２は、図１〜図３に示すように、凹状に形成されている。このシンク２の底部の一番低い箇所には、排出口（図示せず）が設けられており、水道水等が排出されるようになっている。シンク２の形状は、特に限定されず周知の形状のものを適用することができ、本発明の実施の形態では分かりやすいように４隅がＲ状に加工された略矩形状に形成されている場合について説明する。このシンク２の内周壁２ａにはガイド板３が設けられている。
【００１５】
ガイド板３は、シンク２内で食器や食品等を洗う場合に食器等に当たった水や洗剤等がシンク２外に飛散することを防止するものである。このガイド板３は、シンク２の内周壁２ａに沿った環状に形成されている。具体的には、ガイド板３は、シンク２の内周壁２ａより若干小さな４隅がＲ状に加工された略矩形状に形成されている。ガイド板３の高さ方向の長さは、シンク２の内周壁２ａの高さ方向の長さより短い、例えば若干短い寸法で形成されていることが好ましい。ガイド板３の上端部は、外側に折り曲げられてシンク２の上端部に着座するフランジ部３５として形成されていることが好ましい。これにより、ガイド板３がシンク２に安定した状態で収容されることになる。
【００１６】
このガイド板３が、シンク２内に嵌め込まれてシンク２の高さ方向にシンク２に対して摺動可能（移動可能）に設けられている。ガイド板３の内表面の両側部の略中央部には、図１〜図４に示すように、ガイド板３の高さ方向の移動を容易に行えるように把持部３１が設けられていることが好ましい。この把持部３１は、特に限定されず、例えば、図示するように凹状に凹んだ凹部であってもよいし、例えば矩形状に貫通した貫通孔であってもよい。また、把持部３１の設置箇所は、ガイド板３の内表面の両側部の略中央部に限定されることはないし、その個数も限定されるものではない。
【００１７】
ロック手段４は、シンク２とガイド板３との間に設けられ、ガイド板３をシンク２に対して所定の位置にロック状態に固定するものである。ロック手段４としては、ガイド板３を所定の位置に固定できれば特に限定されず、ラチェット機構、弾性手段を作用させたフリクション手段（弾性フリクション手段ということがある。）、圧入フリクション手段、ネジ止め手段等が挙げられ、例えば、ラチェット機構、弾性フリクション手段等が好ましいものとして挙げられる。
【００１８】
ロック手段４としてラチェット機構を用いる場合には、シンク２の内周壁２ａ及びガイド板３の外周壁３ａのいずれか一方、例えば、ガイド板３の外周壁３ａにラチェット歯部４１をその高さ方向に設け、このラチェット歯部４１と係合するロック片４３をシンク２の内周壁２ａ及びガイド板３の外周壁３ａのいずれか他方、例えば、シンク２の内周壁２ａに設けることが好ましい。このラチェット機構によるロック手段４の設置箇所は、ガイド板３をシンク２に対して所定の位置に確実に固定できれば特に限定されず、例えば、シンク２の内周壁２ａの両側部の両端部近傍の２箇所の合計４箇所である。
【００１９】
ラチェット歯部４１は、ガイド板３がシンク２に対して上方に移動する方向には移動可能で、かつ、その下方には移動できないように、複数の歯４２が形成されてなることが好ましい。このラチェット歯部４１は、例えば、シンク２の上方近傍から下部近傍までの箇所に設けられていることが好ましい。
【００２０】
ロック片は、ガイド板３をシンク２に対して上方に移動させたとき、ラチェット歯部４１の歯４２と一歯ずつカチッと音が発生するように形成されていることが好ましい。このロック片４３は、シンク２の内周壁２ａに設けられた貫通孔４５に出没可能に設けられている。ロック片４３と貫通孔４５との間には、Ｏリング４６が設けられており、シンク２内の液体が貫通孔４５からシンク２外に流れないようになっている。
【００２１】
シンク２の外周壁の貫通孔４５の外側には、ロック片４３を支持する支持部材４８を有する支持部４７が設けられている。支持部材４８にはロック片４３が貫通孔４５の長手方向に沿って移動可能に設けられている。この支持部材４８の外周にロック片４３を貫通孔から突出するように付勢する付勢手段である例えばコンプレッションスプリング４９等が設けられている。これにより、ガイド板３は、シンク２に対して上方に移動させたときに、ロック片４３がラチェット歯部４１の歯４２と一歯ずつカチッと音が発生して係合する所定の位置にロック状態で保持されて固定されると共に、シンク２に対して下方へはロック片４３がラチェット歯部４１の歯４２と係合しているので移動できないようになっている。なお、ラチェット歯部４１をガイド板３の外周壁３ａに設け、ロック片４３をシンク２の内周壁２ａに設けたが、ラチェット歯部４１をシンク２の内周壁２ａに設け、ロック片４３をガイド板３の外周壁３ａに設けるようにしてもよい。
【００２２】
また、シンク２の外周壁には、ロック片４３とラチェット歯部４１との係合を解除する解除機構５０が設けられていることが好ましい。解除機構５０は、ロック片４３と共に支持部４７をロック片４３が貫通孔４５内に没する方向（解除方向ということがある。）に移動させてロック片４３とラチェット歯部４１との係合を解除すると共に、ロック片４３と共に支持部４７をロック片４３が貫通孔４５から突出する方向（係合方向）に移動させてロック片４３とラチェット歯部４１とを係合させるものである。この解除機構５０は、例えば、押しボタン５１の押しこみ操作ごとにロック片４３と共に支持部４７の移動方向が切り替るように構成することが好ましい。その押しボタン５１の設置箇所は、特に限定されず、例えば、シンク２の近傍の天板１１に設けることが好ましい。これにより、この押しボタン５１を押しこみ操作すると、例えば、支持部４７が解除方向に移動してロック片４３とラチェット歯部４１との係合が解除され、かつ、この解除状態において押しボタン５１を押しこみ操作すると、支持部４７が係合方向に移動してロック片４３とラチェット歯部４１とが係合するようになっている。
【００２３】
また、ロック手段４として弾性フリクション手段を用いる場合には、例えば、シンク２及びガイド板３の両方又はいずれか一方の一部を対向する壁と圧接するように突出させて可撓性の係合片を形成するようにしてもよい。具体的には、図５に示すように、シンク２及びガイド板３のいずれか一方、例えば、ガイド板３に、ガイド板３の一部をシンク２の内周壁面と接触するように外側に湾曲させて突出させた可撓性の係合片５５を設けるようにしてもよい。すなわち、係合片５５は、外表面から突出するようにガイド板３の一部を切り欠いて折り曲げたり突出させたりして形成されている。この係合片５５は、シンク２の内周壁２ａと接触して、ガイド板３をシンク２に対して高さ方向に移動（スライド）させることができると共に、この移動を止めたとき、係合片５５とシンク２の内周壁２ａとの摩擦力によってガイド板３をその位置に固定するものである。係合片５５の設置箇所は、ガイド板３をシンク２に対して確実に固定できれば特に限定されない。また、このとき、シンク２の内周壁２ａに係合片５５と係合する係合凹部を設けるようにしてもよい。
【００２４】
次に本発明に係る水はね防止装置１及び流し台１０の作用を説明する。
食器や野菜などの食品等例えば食器を洗う場合には、シンク２内で洗剤等を用いて食器を洗った後、その洗剤のついた食器をシンク２内に落下する水道水にさらして洗剤を洗い流す。このとき、食器に当たった水が飛び散ったり、食器に当たった水によって洗剤が飛び散ったりし、これら飛び散った水や洗剤（水等ということがる。）がシンク２外に飛び出る（飛散する）ことがある。このように水等がシンク２外に飛散する場合又は水等がシンク２外に飛散するおそれがある場合には、把持部３１を持ってガイド板３をシンク２に対して上方に移動させ、シンク２の上方からガイド板３を突出させる。ガイド板３を所望の位置に移動（突出）させた後、ガイド板３から手を離すと、その位置又はその位置の近傍でロック手段４、例えば、ロック片４３がラチェット歯部４１の歯４２に係合したり、係合片５５とシンク２の内周壁２ａとの摩擦力によったりしてガイド板３がシンク２から上方に突出した状態でロック状態に保持される（図３（ｂ）参照。）。
【００２５】
これにより、食器を洗うときにシンク２外に飛散しようとした水等がガイド板３の内表面に当たってシンク２内に落下するので、シンク２外への水等の飛散を防止することができる。このとき、ガイド板３は、シンク２の内周壁２ａに沿った環状に形成されているために、シンク２外への水等の飛散の防止が手前側だけでなく後方左右の全ての方向において行われているので、シンク２外への水等の飛散を確実に防止することができる。
【００２６】
ガイド板３を元の位置（シンク２内に収容されている状態）に戻したりガイド板３の位置を下げたりする場合には、ロック手段４としてラチェット機構を用いた場合には、押しボタン５１を押しこみ操作する。すると、支持部４７が解除方向に移動してロック片４３とラチェット歯部４１との係合が解除されるために、ガイド板３をシンク２に対して下方に移動させることができる。また、ロック手段４として弾性フリクション手段を用いた場合には、ガイド板３を下方に押し下げる。その結果、ガイド板３を元の位置に戻したり（図３（ａ）参照。）所望の位置に下げたりすることができる。ロック手段４としてラチェット機構を用いた場合には、ガイド板３を所望の位置に下げたら押しボタン５１を押すことにより、支持部４７が係合方向に移動してロック片４３とラチェット歯部４１とが係合し、ガイド板３はその位置又はその位置の近傍にロック状態で保持される。
【００２７】
また、ガイド板３は環状に形成されていると共にロック手段４、例えば、ラチェット機構のロック片４３とラチェット歯部４１とが係合している場合には、このガイド板３は所定の位置に固定されて下方に下がることがないので、ガイド板３の上端部に例えばまな板等を載置することができる。その結果、まな板をシンク２上に置いて水道水を流しながら作業を行えるので、利便性が損なわれることがない。すなわち、例えば、野菜を切るときに、水道水を流しつつこの水道水に野菜をさらしてからまな板上で切ることがある。この場合、まな板はシンク２上の手前側に置くことが便利であり、ガイド板３が環状に形成されていると、このガイド板３上にまな板を置くことができる。その結果、野菜を洗ってもガイド板３によって水がシンク２外へ飛散することが防止されつつガイド板３上に置いたまな板上で野菜を切ることができるので、利便性が損なわれることがない。
【００２８】
したがって、本発明に係る水はね防止装置１及び流し台１０、１０’は、ガイド板３がシンク２の内周壁２ａに沿った環状に形成されていると共にロック手段４によって所定の位置に固定されるので、シンク２外への水等の飛散を確実に防止することができると共に利便性を損なうことがない。
【００２９】
また、ロック手段４としてラチェット機構を用いた場合には、図３及び図４に示すように、ガイド板３の外周壁３ａに設けたラチェット歯部４１とシンク２の内周壁２ａに設けたロック片４３とからなるので、簡単な構造で確実にガイド板３を所定の位置にロック状態で固定することができる。また、ロック手段４として弾性フリクション手段を用いた場合には、図５に示すように、ガイド板３の一部を切り欠いて折り曲げたり突出させたりして係合片５５が形成されるので、既存の流し台１０、１０’に適用することができると共に、より一層簡単な構造で確実にガイド板３を所定の位置にロック状態で固定することができる。
【００３０】
また、本発明に係る水はね防止装置１をペットのシャンプー用の洗い台に設けた場合には、ペットをシャンプーするときに水やシャンプー液により発生した泡等が洗い台から飛散して衣服や床を汚すことがなく、確実にシンク２外への水等の飛散を防止することができる。また、ガイド板の上端部にタオル等を一時的に置くことができるので、利便性が損なわれることがない。
【００３１】
また、本発明に係る水はね防止装置１を高齢者等のシャワー用の浴槽に適用した場合には、図６に示すように、例えば、高齢者をシャワーするときに水が浴槽６０の槽体である浴槽部６１外に飛散することが防止される。すなわち、浴槽部６１内にはガイド板６２が高さ方向に移動可能に設けられていると共に、ロック手段によってガイド板６２は浴槽部６１に対して所定の位置でロック状態に保持されるようになっている。これにより、図６（ａ）に示すように、浴槽部６１内にガイド板６２を収容した状態で、例えば、高齢者６５を浴槽部６１内に入れてから、ガイド板６２を図６（ｂ）に示すように浴槽部６１に対して上方に移動させて、浴槽部６１から上方に突出させる。突出させた後、例えば、介助者６６が高齢者６５に向けてシャワーを行うと、高齢者６５等に当たって跳ねた水等が浴槽部６１外に飛散することが確実に防止される。また、ガイド板６２の上端部にタオル等を一時的に置くことができるので、利便性が損なわれることがない。
【産業上の利用可能性】
【００３２】
以上説明したように本発明に係る水はね防止装置は、ガイド板が槽体の内周壁に沿った環状に形成されていると共にロック手段によって所定の位置に固定されるので、槽体外への水等の飛散を確実に防止することができると共に利便性を損なうことがないことから、流し台、洗い台及び浴槽に最適なものである。
【図面の簡単な説明】
【００３３】
【図１】本発明に係る水はね防止装置を備えた流し台の一例を示す斜視図である。
【図２】本発明に係る水はね防止装置を備えた流し台の他の例を示す斜視図である。
【図３】本発明に係る水はね防止装置を備えた流し台の要部の一例を示す斜視図で、（ａ）はガイド板を収容した状態を示す図、（ｂ）はガイド板を突出した一例を示す図である。
【図４】本発明に係るロック手段として用いたラチェット機の一例を示す断面図である。
【図５】本発明に係るロック手段として用いた弾性フリクション手段の一例を示す断面図である。
【図６】本発明に係る水はね防止装置を備えた浴槽の一例を示す斜視図で、（ａ）は高齢者を浴槽部内に入れた状態を示す図、（ｂ）は浴槽部内の高齢者を補助者がシャワーする状態を示す図である。
【符号の説明】
【００３４】
１  水はね防止装置
２  シンク（槽体）
３  ガイド板
４  ロック手段
１０  流し台
４１  ラチェット歯部４１
４３  ロック片
３５  フランジ部
【図１】
2007111195.tif 000003
【図２】
2007111195.tif 000004
【図３】
2007111195.tif 000005
【図４】
2007111195.tif 000006
【図５】
2007111195.tif 000007
【図６】
2007111195.tif 000008